(57)【特許請求の範囲】
【請求項１】
常時テープにテンションピンが接触するようにバネ力を付与して回転可能に設けたテンションアームと、回転可能に設けた補助アーム並びにローディングモータの駆動時これに連動して移動するカムピンとを有し、
補助アームに付与したバネ力をテンションアームに伝達すべく補助アームの一部とテンションアームの一部とを衝合離反可能に設け、ＰＬＡＹ／ＲＥＣ時とＦＦ／ＲＥＷ時における前記カムピンの移動により補助アームとテンションアームの衝合離反を制御してなる磁気記録再生装置のテンション制御機構。
【請求項２】
テンションアームと補助アームが同軸に軸支され、補助アームの突部とテンションアームの後端部に形成した突部とを衝合可能に設けて補助アームに付与したバネ力をテンションアームに伝達可能となし、ＰＬＡＹ／ＲＥＣ時とＦＦ／ＲＥＷ時におけるカムピンの移動により補助アームの突部とテンションアームの突部との衝合離反を制御してなる請求項１記載の磁気記録再生装置のテンション制御機構。
【請求項３】
テンションアームと補助アームが同軸に軸支され、補助アームの突片をテンションアームの扇形のカム穴に嵌入して突片とカム穴端面との衝合により補助アームに付与したバネ力をテンションアームに伝達可能となし、ＰＬＡＹ／ＲＥＣ時とＦＦ／ＲＥＷ時におけるカムピンの移動により補助アームの突片とカム穴端面との衝合離反を制御してなる請求項１記載の磁気記録再生装置のテンション制御機構。
【請求項４】
常時テープにテンションピンが接触するようにバネ力を付与して回転可能に設けたテンションアームと、一端部において回転可能に軸支した補助アーム並びにローディングモータの駆動時これに連動して移動するカムピンとを有し、テンションアームに一端部を連結したスプリングの他端部を補助アームの自由端に連結し、一端部をシャーシに連結したスプリングの他端部を同じく補助アームの自由端に連結し、ＰＬＡＹ／ＲＥＣ時とＦＦ／ＲＥＷ時におけるカムピンの移動により補助アームの自由端をテンションアームに対し離反・近接可能にするとともに、テンションアームに連結したスプリングのバネ定数を補助アームに連結したスプリングのバネ定数より大とした磁気記録再生装置のテンション制御機構。
【発明の詳細な説明】
【０００１】
【発明の属する技術分野】
本発明は、ＶＴＲ等の磁気記録再生装置におけるテンション制御機構の改良に関するものである。
【０００２】
【従来の技術】
ＶＴＲ等の磁気記録再生装置において、テープ走行時にはテープテンションが弱ければ回転ヘッドとテープ間の接触が不完全となり記録再生に支障を来す。また、テープテンションが強ければテープ走行経路の部材とテープの摩擦によってテープに損傷を起こすなど問題があり、ある一定の強さの適切なテープテンションを保つため、テープテンション制御を行うのが一般的である。
【０００３】
従来、テープテンション制御機構として図５に示すものがある。この機構は、一端をシャーシ側に支軸２８で回動可能に軸支されたテンションアーム２７と、この他端に立設されたテンションピン２７ａと、テンションアーム２７をテープ８と接触する方向（反時計方向）に付勢するスプリング２９と、一端をシャーシ側に固定して供給リール台１のブレーキドラムに巻き付け、他端をテンションアーム２７に連結したブレーキバンド１３から構成される。
【０００４】
この機構においてＰＬＡＹ／ＲＥＣ時には、テンションアーム２７がスプリング２９のばね力により反時計方向に回動されて、テンションアーム２７ａがテープ８に接触し、ブレーキバンド１３が供給リール台１のブレーキドラムに巻き付き、圧接される。この状態においてテープテンションが強くなったときは、テープ８がテンションピン２７ａを押圧し、テンションアーム２７が時計方向に回動されて、ブレーキバンド１３による供給リール台１のブレーキ力が弱められ、テープテンションを低下させる方向に作用する。また、テープテンションが弱くなったときは、テンションアーム２７が反時計方向に回動されて、ブレーキバンド１３による供給リール台１のブレーキ力が強められ、テープテンションが高められる方向に作用する。このようにして、テープ８はＰＬＡＹ／ＲＥＣ時に、ほぼ一定のテンションで走行する。
【０００５】
また、ＦＦ／ＲＥＷ時においては、高速でテープを走行させるので、ＰＬＡＹ／ＲＥＣ時と同じテンションでは必要以上の摩擦が生じてテープ損傷に至る。これを防ぐために、テープテンションをテープが弛まない程度に低く設定してやる必要があった。したがって、上記機構においては、ＦＦ／ＲＥＷ時には、テンションアーム２７を時計方向に回動させて解除し、ブレーキバンド１３による供給リール台１のブレーキ力を無くし、他のブレーキ手段を付加することによって供給リール台１に軽いブレーキ力を与えたり、スプリング２９の固定端２９ａをカム手段により移動させることにより、スプリング力を弱めてテープテンションの低下を図っていた。
【０００６】
【発明が解決しようとする課題】
ＦＦ／ＲＥＷ時において、テンションアームを解除し、他のブレーキ手段を付加するものにおいては、テープテンションの変化を全く検知できず、テンションコントロールが不可能となる。
【０００７】
また、スプリングの固定端を移動させ、スプリングの張力を調整する機構においては、テンションアームをＦＦ／ＲＥＷ時に解除させないため、テンションコントロールは可能であるが、ＰＬＡＹ／ＲＥＣ時及びＦＦ／ＲＥＷ時に同じばね定数のスプリングを使用するため、ばね定数の大きいスプリングによってテープテンションを与えると、ＦＦ／ＲＥＷ時のテープテンションの微小な変化に追従できず、テープテンションの変化に対するブレーキの応答性が悪くなる難点があった。また、スプリングのばね定数を小さくした場合、ＦＦ／ＲＥＷ時のブレーキの応答性は良いが、ＰＬＡＹ／ＲＥＣ時には強いテンションが必要であり、ばねの伸びを長く取らなければならないため、スペース的に不利である。特にＶＴＲにおいては、ＦＦ／ＲＥＷ時のテープテンション値は、ＰＬＡＹ／ＲＥＣ時の１／１５程度であり、テンション値の差が大きいことからこれらの点は、特に問題となる。
【０００８】
そこで本発明の目的とするところは、ブレーキの応答性に悪影響を与えること無くＦＦ／ＲＥＷ中もテンションコントロールをすることができ、さらには省スペース化が計れるテンション制御機構を提供するところにある。
【０００９】
【課題を解決するための手段】
上記目的を達成するため、本発明においては、ブレーキの応答性に影響を与えず、強弱２種類のテンションを与えることができ、ＰＬＡＹ／ＲＥＣ時にはばね定数の大きいスプリングテンションを与え、ＦＦ／ＲＥＷ時にはばね定数の小さいスプリングテンションを与えるようなテンション調整を可能にする制御機構を提供したもので、２本のスプリングを使用し、ＰＬＡＹ／ＲＥＣ時には２本のバネ力でテンションを与え、ＦＦ／ＲＥＷ時には１本のバネ力でテンションを与えるような機構並びにばね定数の異なる２本のスプリングを使用し、ＰＬＡＹ／ＲＥＣ時にはばね定数の大きいスプリングを使用し、ＦＦ／ＲＥＷ時にはばね定数の小さいスプリングを使用する機構を提供したものである。
【００１０】
両者の機構はいずれも常時テープにテンションピンが接触するようにバネ力を付与して回転可能に設けたテンションアームと、回転可能に設けた補助アーム並びにローディングモータの駆動時これに連動して移動するカムピンを有する点において共通しており、テンションアームと補助アームの関係およびばね力の付与の仕方において異なっている。
【００１１】
請求項１に示す制御機構、すなわち、補助アームに付与したバネ力をテンションアームに伝達すべく補助アームの一部とテンションアームの一部とを衝合離反可能に設け、ＰＬＡＹ／ＲＥＣ時とＦＦ／ＲＥＷ時における前記カムピンの移動により補助アームとテンションアームの衝合離反を制御してなる磁気記録再生装置のテンション制御機構は、ＰＬＡＹ／ＲＥＣ時には、補助アームに付与したばね力をテンションアームに伝達することにより２本のスプリングのばね力によってテンションを与え、ＦＦ／ＲＥＷ時には補助アームに付与したばね力をテンションアームに伝えず、テンションアームに付与された１本のスプリングによるばね力のみによってテンションを与えるようにしたものである。
【００１２】
一方、請求項４に示す制御機構、すなわち、テンションアームに一端部を連結したスプリングの他端部を補助アームの自由端に連結し、一端部をシャーシに連結したスプリングの他端部を同じく補助アームの自由端に連結し、ＰＬＡＹ／ＲＥＣ時とＦＦ／ＲＥＷ時におけるカムピンの移動により補助アームの自由端をテンションアームに対し離反・近接可能にするとともに、テンションアームに連結したスプリングのばね定数を補助アームに連結したスプリングのばね定数より大とした磁気記録再生装置のテンション制御機構は、ＰＬＡＹ／ＲＥＣ時には、カムピンによって補助アームの自由端をテンションアームから離反した位置に保持し、ばね定数の大きいスプリングによってテンションを与えるようになし、またＦＦ／ＲＥＷ時においては、カムピンの移動によって補助アームの自由端をテンションアームに近接させることによってばね定数の大きいスプリングのばね力の作用を無くし、ばね定数の小さいスプリングのばね力によってテンションを与えるようにしたものである。
【００１３】
補助アームに付与したバネ力をテンションアームに伝達すべく補助アームの一部とテンションアームの一部とを衝合離反可能に設ける機構としては、請求項２に示すように、テンションアームと補助アームが同軸に軸支され、補助アームの突部とテンションアームの後端部に形成した突部とを衝合可能に設けて補助アームに付与したバネ力をテンションアームに伝達可能とする構成、あるいは請求項３に示すように、テンションアームと補助アームが同軸に軸支され、補助アームの突片をテンションアームの扇形のカム穴に嵌入して突片とカム穴端面との衝合により補助アームに付与したバネ力をテンションアームに伝達可能とする構成を採用することができる。
【００１４】
【発明の実施の形態】
以下、本発明の実施の形態の一例を、図面に基づいて説明する。
図１は、磁気記録再生装置のテープ走行系と共に、本発明に係る磁気記録再生装置のテンション制御機構の一例を示す概略平面図で、テープ走行系は公知の機構と同じく、供給リール台１と巻取リール台２、先端部近傍にテンションピン３を有するテンションアーム４、ガイドピン５、消去ヘッド６、ヘッドドラム７、ヘッドドラム７に対しテープ８をローディング、アンローディングするローディング機構に設けられたガイドローラ９と傾斜ガイド１０、キャプスタン１１、ピンチローラ１２等で構成されている。１３はブレーキ機構を構成するブレーキバンドで、一端をシャーシに固定し、供給リール側のブレーキドラムに巻き付けて他端をテンションアーム４に連結している。テンションアーム４は常にテープと接触する方向にスプリングによって付勢されている。テープ走行中はテンションアーム４によってテンションコントロールを行い、ブレーキ機構によってバックテンションが掛けられる。
【００１５】
図１はＰＬＡＹ／ＲＥＣ時の各部の位置関係を示しており、図２はＦＦ／ＲＥＷ時におけるテープテンション制御機構の各部の位置関係を示している。この例においては、テンション制御機構は、テンションアーム４、補助レバー１４、スプリング１５ａ、スプリング１５ｂ、カムピン１６及びブレーキ機構のブレーキバンド１３で構成されている。
【００１６】
テンションアーム４及び補助レバー１４は共通の支軸１７で回動可能に軸支され、テンションアーム４の後端部に形成された突部４ａと補助レバー１４の突部１４ａが衝合可能に設けられている。テンションアーム４はスプリング１５ａによってテンションピン３がテープ８と接触する方向（反時計方向）に付勢されており、また、補助レバー１４は突片１４ｂに連結されたスプリング１５ｂによって常時反時計方向、すなわち、前記突部１４ａがテンションアーム４の突部４ａと衝合する方向に付勢されている。
【００１７】
カムピン１６は、マイクロコンピュータによって制御されたローディングモータの駆動時、連動機構を介して水平移動するスライダー等の連動部材に設けられ、ＰＬＡＹ／ＲＥＣ時には、図１に示すように補助レバー１４の突部１４ｃから離れて位置している。従って、補助レバー１４はスプリング１５ｂのバネ力を受けて反時計方向に回動しており、突部１４ａがテンションアーム４の突部４ａと衝合状態にある。よってテンションアーム４からテープ８に与えられるテンションは、補助レバー１４を介して与えられるスプリング１５ｂとスプリング１５ａの合力となり強めのテンションが与えられる。
【００１８】
また、ＦＦ／ＲＥＷ時には、ローディングモータに連動して上記と反対方向に連動部材が移動し、カムピン１６が補助レバー１４の突部１４ｃと衝合して補助レバー１４を時計方向に回動させ、補助レバー１４の突部１４ａをテンションアーム１の突部１ａから離反させる。この状態においては、スプリング１５ｂのバネ力はテンションアームに伝わらず、テンションアーム４からテープ８に与えられるテンションは、スプリング１５ａのみの弱めのテンションが与えられる。
【００１９】
すなわち、本機構は、補助アームに付与したバネ力をテンションアームに伝達すべく補助アームの一部とテンションアームの一部とを衝合離反可能に設け、ＰＬＡＹ／ＲＥＣ時とＦＦ／ＲＥＷ時における前記カムピンの移動により補助アームとテンションアームの衝合離反を制御することにより、ＰＬＡＹ／ＲＥＣ時には、補助アームに付与したばね力をテンションアームに伝達することにより２本のスプリングのばね力によってテンションを与え、ＦＦ／ＲＥＷ時には補助アームに付与したばね力をテンションアームに伝えず、テンションアームに付与された１本のスプリングによるばね力のみによってテンションを与えるようにした機構の実施態様を示すものである。
【００２０】
この様な機構によれば、テンションピン３がテープ８に接触した状態で、強弱２通りのテンションを与えることが可能となり、ＰＬＡＹ／ＲＥＣ時にはばね定数の大きいスプリングテンションを与え、ＦＦ／ＲＥＷ時にはばね定数の小さいスプリングテンションを与えることができ、ブレーキの応答性に悪影響を与えずＦＦ／ＲＥＷ中もテンションコントロールでき、さらには省スペース化が計り得るものである。
【００２１】
図３は、同じく、補助アームに付与したバネ力をテンションアームに伝達すべく補助アームの一部とテンションアームの一部とを衝合離反可能に設けた本発明に係る磁気記録再生装置のテンション制御機構の他例を示す概略平面図で、（Ａ）はＰＬＡＹ／ＲＥＣ時における各部の位置関係、（Ｂ）はＦＦ／ＲＥＷ時の各部の位置関係を示す。この機構においては、テンションアーム１７、補助レバー１８、スプリング１９ａ、スプリング１９ｂ、カムピン１６及びブレーキ機構のブレーキバンド１３で構成されている。
【００２２】
テンションアーム１７及び補助レバー１８は共通の支軸２０で回動可能に軸支され、テンションアーム１７の後端円形部には端面２１ａ、２１ｂを有する扇形のカム穴２１が形成され、補助レバー１８の突片１８ａが嵌入している。
【００２３】
テンションアーム１７はスプリング１９ａによってテンションピン１７ａがテープと接触する方向（反時計方向）に付勢されており、また、補助レバー１８は端部１８ｂに連結されたスプリング１９ｂによって常時反時計方向、すなわち、前記突片１８ａがテンションアーム１７のカム穴２１の端面２１ａと衝合する方向に付勢されている。
【００２４】
カムピン１６は、前記の通り、マイクロコンピュータによって制御されたローディングモータの駆動時、連動機構を介して水平移動するスライダー等の連動部材に設けられ、ＰＬＡＹ／ＲＥＣ時には、図３（Ａ）に示すように補助レバー１８の側面に当接した位置にある。従って、テンションアーム１７からテープに与えられるテンションは、補助レバー１８を介して与えられるスプリング１９ｂとスプリング１９ａの合力となり強めのテンションが与えられる。
【００２５】
また、ＦＦ／ＲＥＷ時には、図３（Ｂ）に示す通り、ローディングモータに連動して連動部材が移動し、カムピン１６が補助レバー１８の側面を押圧することにより補助レバー１８を時計方向に回動させ、補助レバー１８の突片１８ａをテンションアーム１７のカム穴２１の端面２１ａから離反させる。この状態においては、スプリング１９ｂのバネ力はテンションアーム１７に伝わらず、テンションアーム１７からテープに与えられるテンションは、スプリング１９ａのみの弱めのテンションが与えられる。
【００２６】
この様に、本機構によっても、テンションピン１７ａがテープに接触した状態で、強弱２通りのテンションを与えることが可能となり、ＰＬＡＹ／ＲＥＣ時にはばね定数の大きいスプリングテンションを与え、ＦＦ／ＲＥＷ時にはばね定数の小さいスプリングテンションを与えることができ、ブレーキの応答性に悪影響を与えずＦＦ／ＲＥＷ中もテンションコントロールでき、さらには省スペース化が計り得るものである。
【００２７】
図４は本発明に係る磁気記録再生装置のテンション制御機構のさらに他の例を示す概略平面図で、（Ａ）はＰＬＡＹ／ＲＥＣ時における各部の位置関係、（Ｂ）はＦＦ／ＲＥＷ時の各部の位置関係を示す。この機構においてはテンションアーム２２、補助レバー２３、ばね定数の大きいスプリング２４ａ、ばね定数の小さいスプリング２４ｂ、カムピン１６及びブレーキ機構のブレーキバンド１３で構成されている。
【００２８】
テンションアーム２２及び補助レバー２３は、それぞれの支軸２５、２６で回動可能に軸支され、テンションアーム２２の後端突片２２ｂに一端を連結したスプリング２４ａの他端が補助レバー２３の自由端に連結されている。また、一端をシャーシに連結した他のスプリング２４ｂは、他端を補助レバー２３の自由端に連結している。
【００２９】
カムピン１６は、スライダーまたはカム板等の連動部材に取り付けられ、マイクロコンピュータによって制御されたローディングモータの駆動時、連動機構を介して連動部材を移動することによって補助レバー２３の側面に当接・離反する方向に移動し、補助アームの自由端をテンションアームに対し離反・近接可能としている。ＰＬＡＹ／ＲＥＣ／時には図４（Ａ）に示すように補助レバー２３の側面に当接した位置にあり、補助レバー２３の時計方向への回動を阻止し、自由端をテンションアームから離反させている。従ってテンションアーム２２からテープに与えられるテンションは、ばね定数の大きいスプリング２４ａによる強いテンションが与えられる。
【００３０】
また、ＦＦ／ＲＥＷ時には、図４（Ｂ）に示す通り、ローディングモータに連動してカムピン１６が補助レバー２３から離反し、補助レバー２３がフリーの状態となり、自由端がテンションアームに対し近接した状態にある。この状態においては、スプリング２４ａのばね定数がスプリング２４ｂのばね定数より非常に大きいことから、テンションはほぼスプリング２４ｂによる弱いものが与えられる。
【００３１】
すなわち、本機構は、テンションアームに一端部を連結したスプリングの他端部を補助アームの自由端に連結し、一端部をシャーシに連結したスプリングの他端部を同じく補助アームの自由端に連結し、ＰＬＡＹ／ＲＥＣ時とＦＦ／ＲＥＷ時におけるカムピンの移動により補助アームの自由端をテンションアームに対し離反・近接可能にするとともに、テンションアームに連結したスプリングのばね定数を補助アームに連結したスプリングのばね定数より大とし、ＰＬＡＹ／ＲＥＣ時には、カムピンによって補助アームの自由端をテンションアームから離反した位置に保持し、ばね定数の大きいスプリングによってテンションを与えるようになし、また、ＦＦ／ＲＥＷ時においては、カムピンの移動によって補助アームの自由端をテンションアームに近接させることによってばね定数の大きいスプリングのばね力の作用を無くし、ばね定数の小さいスプリングのばね力によってテンションを与えるようにした機構の実施態様を示すものである。
【００３２】
この様な機構によれば、テンションピン２２ａがテープに接触した状態で強弱２通りのテンションを与えることが可能となり、ＰＬＡＹ／ＲＥＣ時にはばね定数の大きいスプリングテンションを与え、ＦＦ／ＲＥＷ時にはばね定数の小さいスプリングテンションを与えることができ、ブレーキの応答性に悪影響を与えずＦＦ／ＲＥＷ中もテンションコントロールでき、さらには省スペース化が計り得るものである。
【００３３】
【発明の効果】
以上詳述の通り、本発明においては２本のスプリングを使用し、ローディングモータに連動したカムピンの移動により補助レバーの回転位置を制御することによってＰＬＡＹ／ＲＥＣ時にはばね定数の大きいスプリングテンションを与え、ＦＦ／ＲＥＷ時にはばね定数の小さいスプリングテンションを与えるようにしたので、ブレーキの応答性に影響を与えることなく強弱２種類のテンションを与えることができ、ＦＦ／ＲＥＷ中もテンションコントロールをすることができ、さらには省スペース化が計れるテンション制御機構を提供し得たのである。
【図面の簡単な説明】
【図１】磁気記録再生装置のテープ走行系と共に、本発明に係る磁気記録再生装置のテンション制御機構の一例を示す概略平面図で、ＰＬＡＹ／ＲＥＣ時の各部の位置関係を示す。
【図２】同制御機構においてＦＦ／ＲＥＷ時における各部の位置関係を示す。
【図３】本発明に係る磁気記録再生装置のテンション制御機構の他例を示す概略平面図で、（Ａ）はＰＬＡＹ／ＲＥＣ時における各部の位置関係を示し、（Ｂ）はＦＦ／ＲＥＷ時の各部の位置関係を示す。
【図４】本発明に係る磁気記録再生装置のテンション制御機構のさらに他の例を示す概略平面図で、（Ａ）はＰＬＡＹ／ＲＥＣ時における各部の位置関係、（Ｂ）はＦＦ／ＲＥＷ時の各部の位置関係を示す。
【図５】従来のテープテンション制御機構の一例を示す概略平面図である。
【符号の説明】
３…テンションピン              ４…テンションアーム
４ａ…突部                        ７…ヘッドドラム
８…テープ                    １３…ブレーキバンド
１４…補助レバー              １４ａ…突部
１５ａ、１５ｂ…スプリング      １６…カムピン
１７…テンションアーム          １８…補助レバー
１８ａ…突片          １９ａ、１９ｂ…スプリング
２１…カム穴                  ２１ａ…端面
２２…テンションアーム          ２３…補助レバー
２４ａ、２４ｂ…スプリング
【図１】
0003571468.tif 000002
【図２】
0003571468.tif 000003
【図３】
0003571468.tif 000004
【図４】
0003571468.tif 000005
【図５】
0003571468.tif 000006